(57)【要約】  アクセサリーバッグは、底壁（２０）、前壁（１２）及び後壁（１４）を有する。壁は、撓み変形可能な材料からなる。一対の側壁が、前壁（１２）と後壁（１４）との間に延びる。第１の一対の接続レール（５６）が、前壁（１２）に沿って延びる。第２の一対の接続レール（６６）が、後壁（１４）に沿って延びる。接続ハンドル（４０）が、第１の端部及び第２の端部を有する。前記第１の端部での第１コネクター（４８）が、前記第１の一対の接続レール（５６）と協働するように構成されている。前記第２の端部での第２コネクター（４８）が、前記第２の一対の接続レール（６６）と協働するように構成されている。加えて、接続ハンドル（４０）は、ハンドル（４６）を有する。
2014524323.tif 000002
【特許請求の範囲】
【請求項１】
撓み変形可能な材料からなる、底壁、前壁及び後壁と、
前記前壁と前記後壁との間に延びる一対の側壁と、
前記前壁に沿って延びる第１の一対の接続レールと、
前記後壁に沿って延びる第２の一対の接続レールと、
接続ハンドルと、
を備え、
前記接続ハンドルは、
第１の端部及び第２の端部と、
前記第１の一対の接続レールと協働するように構成された、前記第１の端部での第１コネクターと、
前記第２の一対の接続レールと協働するように構成された、前記第２の端部での第２コネクターと、を有する
ことを特徴とするアクセサリーバッグ
【請求項２】
前記第１の一対の接続レールは、前記前壁から延びる、複数に連なる輪によって形成されている
ことを特徴とする請求項１に記載のアクセサリーバッグ。
【請求項３】
前記第２の一対の接続レールは、前記後壁から延びる、複数に連なる輪によって形成されている
ことを特徴とする請求項２に記載のアクセサリーバッグ。
【請求項４】
前記接続ハンドルは、
第１の端部及び第２の端部を有する第１ストラップと、
前記第１ストラップの前記第１の端部及び前記第２の端部にそれぞれ取り付けられた第１コネクター及び第２コネクターと、
前記第１ストラップに平行であり、第１の端部及び第２の端部を有する第２ストラップと、
前記第１ストラップの前記第１の端部及び前記第２の端部にそれぞれ取り付けられた第１コネクター及び第２コネクターと、
前記第１ストラップと前記第２ストラップとの間に延びるハンドルと、
を有することを特徴とする請求項３に記載のアクセサリーバッグ。
【請求項５】
前記接続ハンドルは、
第１の端部及び第２の端部を有する第１ストラップと、
前記第１ストラップの前記第１の端部及び前記第２の端部の各々に取り付けられたコネクターと、
前記第１ストラップに平行であり、第１の端部及び第２の端部を有する第２ストラップと、
前記第２ストラップの前記第１の端部及び前記第２の端部の各々に取り付けられたコネクターと、
前記第１ストラップと前記第２ストラップとの間に延びるハンドルと、
を有することを特徴とする請求項１に記載のアクセサリーバッグ。
【請求項６】
前記底壁に取り付けられたホイールを更に備える
ことを特徴とする請求項１に記載のアクセサリーバッグ。
【請求項７】
前記底壁に第３コネクター及び第４コネクターを更に備え、
前記第３コネクター及び前記第４コネクターは、前記第１コネクターと協働するように構成されている
ことを特徴とする請求項１に記載のアクセサリーバッグ。
【請求項８】
前記側壁内に補強リブを更に備える
ことを特徴とする請求項１に記載のアクセサリーバッグ。
【発明の詳細な説明】
【関連出願の参照】
【０００１】
この出願は、２０１１年８月２５日に出願された仮出願６１／５２７,３３２の利益を主張するものであり、その内容は、それによって引用により包合される。
【技術分野】
【０００２】
本発明は、運動具のような道具のためのアクセサリーバッグに関する。
【背景技術】
【０００３】
既存の無調整式のバッグによって運ばれる運動具は、バッグの底部構造の土台として機能する。バッグの土台は、バッグの中の道具がバッグの全長よりも短いときには、消える。これは、非直線形のバッグ構造という結果となる。したがって、バッグは、バッグに取り付けられたホイールで転がるよりもむしろ、部分的に地面に対して生地部分によって引きずられ得る。これは、生地部分における激しいすり減りを招き、ユーザーにとってより困難なバッグの運搬を招く。この問題は、スキーヤー及びスノーボーダーの間での共通の問題である。なぜなら、スキー及びスノーボードは様々な長さがあるが、既存の無調整式のスキー及びスノーボードのバッグは、幾つかの長さの選択があるに過ぎないからである。
【０００４】
装置（gear）の保護は、運動具用バッグにとって最も重要な機能である。バッグの中の前記装置は、しばしば、非常に高価であり、運搬中に生じ得るストレス（圧力）のために設計されていない。飛行機での運動具を伴う旅行にとっては、重さが主たる要素である。重さの制限は、ますます厳しくなりつつあり、重さの超過料金は、非常に高価となり得る。保護及び重さは、既存の製品において十分に取り組まれていない２つの要素である。
【０００５】
スキーやスノーボードのような運動具のためのアクセサリーバッグは、特に、点検されたバッグが自動化された機械にさらされるような旅客機で道具を運搬するべく、当該バッグが使われようとする場合において、中身を保護することができなければならない。バッグの全体の長さがその中に収容された道具よりも大きい場合、道具はバッグの中で動き得て、損傷の可能性が増えてしまう。また、アクセサリーバッグは、使われていない時に、スペースを取り過ぎる。
【０００６】
本発明の目的は、可変の長さの道具の運搬のために、調整可能な長さを有するアクセサリーバッグを提供することである。
【０００７】
本発明の他の目的は、バッグが巻かれるための能力を阻害することなく、中身のために保護（保護性）を増加させた、補強された側壁を有するアクセサリーバッグを提供することである。
【０００８】
本発明のさらに他の目的は、部分的または全体的に巻かれる時のバッグの状態を維持すると共に、バッグの運搬を容易にするためのハンドルを提供する、接続ハンドルを有するアクセサリーバッグを提供することである。
【０００９】
本発明のこれら及び他の目的は、以下の本発明の開示を読んだ後の当該技術分野の通常の技術を有するものに、明らかになり得る。
【発明の概要】
【００１０】
長さ調整システムは、接続レールと接続ハンドルという、２つの主要な要素を有する。接続レールは、バッグの頂部と底部の両方でのバッグの全体の長さに沿う、ウェビングの２つの平行な線状部を含む。このウェビングは、接続レールに沿った任意の位置で接続ハンドル上に配置された複数のバックルを固定することを可能にする、複数の縫われた輪（ループ）を有する。
【００１１】
接続ハンドルは、ハンドル、ウェビングの２つの線状部、及び、４つのバックルを有する。ウェビングは、接続レール同士の幅に整合するように、各側面でハンドルに固定される。２つのバックルは、ハンドルに近い両側でウェビングに縫い付けられる。これら２つのバックルは、無調整式であり、バッグの底部で接続レールに接続され得る前記ハンドルの一部を構成する。これら２つのバックルは、例えば、ウェビングの端部に形成された輪（ループ）内にバックルを縫い付けることによって、ウェビングに永続的に固定される。この態様において、バックルは、ウェビングから脱落不能であるか、ユーザーによってウェビングから取り外されることが不能である。他の２つのバックルは、ハンドルの他の側でウェビングに取り付けられる。この側のウェビングは、より長く、バックルが調整可能であり、ウェビングに沿って滑り得る。これら２つのバックルは、バッグの頂部側で接続レールに取り付けられる。全ての４つのバックルは、ボルダリングパッド（bouldering pad）及びカラビナに見られるようなフック機能を有している。
【００１２】
道具がバッグの中に配置されるとき、バッグの前側は、所望の長さに巻かれる。接続ハンドルにおける２つの無調整式のバックルは、その際、底部接続レール上での２つの対応する輪（ループ）に取り付けられる。接続ハンドルにおける２つの調整式のバックルは、その際、頂部接続レール上での２つの対応する輪（ループ）に取り付けられる。接続ハンドルにおける調整式のバックルは、その際、締められて、ハンドル上でのウェビングは、頂部接続レールを通したバッグの頂部での生地における張力、及び、底部接続レールを通したバッグの底部での生地における張力、の両方を生成する。この張力は、整った状態で巻き上げられた生地を保持し、固い構造物を生成する。
【００１３】
増加された保護（保護性）は、バッグの側壁及び底部構造の両方に埋め込まれた、３ステージリブ構造から生じる。長さ調整システムが締め付けられるとき、当該システムは、バッグの頂部及び底部構造での生地において張力を生成するように設計されている。頂部の張力（頂部接続レールを通して伝達される）は、保護リブが一体化された鉛直方向における側壁に起立させて、バッグの中にある道具のための保護筐体を生成する。底部構造に向かう張力（底部接続レールを通して伝達される）は、道具に近い水平のリブを強化し、下からの衝撃に対する保護性を生成する。このような保護性のある３ステージリブ構造は、バッグの中にある道具のための保護筐体を生成する。この筐体は、バッグが満杯に詰められているか否かにかかわらず、同じレベルの保護性を生成しつつ、同じ形状を保持し得る。３ステージリブ構造は、非常に低い重さで広範囲な保護を提供する。これは、生地及び詰め物の顕著な低減を可能として、製造物にとって、より低い製造コストとなり、より低い総合的な重さとなるという結果になる。
【００１４】
長さ調整システムは、完全な適合によって、固い及び強い土台を、常時、提供し得る。これは、常時、バッグにおけるホイールが地面に接触することを可能とし、ホイールで転がるよりもむしろ部分的に地面に対して生地部分によってバッグが引きずられ得るような非直線形につぶれるバッグの発生を防ぐ。
【００１５】
３ステージリブ構造は、バッグが空であるときに、側壁の両方が底壁へ向けてつぶれることを許容する。側壁が折りたたまれるとき、バッグは全領域で巻かれ得て、バッグを圧縮されたシリンダのような状態とし得る。接続ハンドルは、追加的な圧縮を提供し、バッグをそのシリンダ形状に保持する。また、圧縮されたバッグを運ぶためのハンドルを提供する。
【００１６】
長さ調整可能な３ステージリブ構造は、スキー、スノーボード、ウェイクボード、カイトボード及びサーフボードのような運動具を含む、幾つかのタイプの道具のために用いられ得るアクセサリーバッグを生成する。しかしながら、本発明は他の産業における道具のためにも用いられ得ることが、理解されるべきである。
【００１７】
本発明の適用のさらなる範囲は、以下に与えられる詳細な説明から明らかになり得る。しかしながら、本発明の精神及び範囲内での様々の変形及び変更は、この詳細な説明から当該技術分野の当業者に明らかになり得るので、詳細な説明及び特定の例は、本発明の好ましい実施の形態として示しているが、一例としてのみ与えられていることが、理解されるべきである。
【図面の簡単な説明】
【００１８】
本発明は、一例としてのみ与えられ、本発明の限定とはならない、以下に与えられた詳細な説明、及び添付の図面から、より十分に理解され得る。
【００１９】
【図１】図１は、アクセサリーバッグの正面図である。
【００２０】
【図２】図２は、アクセサリーバッグの背面図である。
【００２１】
【図３】図３は、アクセサリーバッグの底面図である。
【００２２】
【図４】図４は、アクセサリーバッグの頂部半分の斜視図である。
【００２３】
【図５】図５は、部分的に巻かれたアクセサリーバッグの斜視図である。
【００２４】
【図６】図６は、取り付けられた接続ハンドルによって部分的に巻かれたアクセサリーバッグの斜視図である。
【００２５】
【図７】図７は、全体的に巻かれたアクセサリーバッグの斜視図である。
【００２６】
【図８】図８は、接続ハンドルを示す。
【発明を実施するための形態】
【００２７】
本発明は、添付の図面を参照しつつ説明され得る。図面において、同一または類似の要素は、同一の参照符号で示されている。
【００２８】
アクセサリーバッグの前壁１２が、図１に示されている。前壁１２は、一対のジッパー５４によってバッグの側面に固定された前パネル５２によって形成されている。ジッパーは、アクセサリーバッグの内部へのアクセスを提供するべく、前パネル５２が引き離されることを可能とする。一対のハンドル５８が、前パネル５２の頂部を横切って延び得る。ハンドル５８は、アクセサリーバッグが折りたたまれていない状態で持ち上げられるときに、簡易な把持点を提供する。ハンドル５８は、前パネル５２を横切って延びており、バッグの側壁に固定されるストラップによって形成され得る。一対の接続レール５６が、前壁１２の長さに沿って延びている。接続レール５６は、輪（ループ）を形成する材料であるストリップによって形成されており、後にも説明されるように、前パネル５２の長さに沿った任意の位置での接続ハンドル４０（図８参照）の簡易な取り付けを確保する。
【００２９】
図２は、アクセサリーバッグの後壁１４を示している。示されているように、アクセサリーバッグの底壁２０には、ホイール２４が設けられており、アクセサリーバッグは、折りたたまれていない状態の時でも、簡易に運搬され得る。アクセサリーバッグの後壁１４には、第２の一対の接続レール６６が設けられている。第１の一対の接続レール５６と同様に、第２の一対の接続レール６６は、接続ハンドル４０の接続を確保する輪（ループ）を提供するべく、バッグの後壁１４に間欠的に接続される材料であるストリップによって形成されている。第２の接続レール６６は、アクセサリーバッグが巻かれる時に、第１の接続レール５６に対して整列されるべく、後壁１４上に配置されている。
【００３０】
バッグの底壁２０が、図３において明らかに示されている。前述されたように、バッグの底壁２０には、バッグの簡易な運搬を可能とするホイール２４が設けられている。硬質プラスチック基材２６が、ホイール２４のための高強度の取り付け点を提供しており、アクセサリーバッグは、硬い面を渡るようにホイール移動され得る。基材２６は、後壁１４及び底壁２０の両方に沿って延びるべく、Ｌ字状に形成され得る。基材２６は、底壁２０が後壁１４に出会う角部に剛性を付与するべく、アクセサリーバッグの全体的な幅の端から端にかけて延び得る。単一の輪（ループ）２８が、後述されるように、バッグが完全に巻かれた状態のときの接続ハンドル４０の取り付けのために、底部２０の両側にそれぞれ設けられている。輪（ループ）２８は、変形可能または硬質の材料から形成され得る。
【００３１】
アクセサリーバッグの底壁２０及び／または後壁１４は、その中に運動具を固定するための様々のストラップを含み得る。例えば、バッグの底壁２０及び／または後壁１４は、一対のスキーを受け取るため、及び、スキーのビンディングをとらえるための、一対の輪（ループ）を含み得る。スキーが中にある時に、アクセサリーバッグは、頂部２２から始めて、所望の長さに巻かれる。接続ハンドル４０における２つの無調整式のバックル４８は、その際、後壁１４における第２の一対の接続レール６６の２つの対応する輪（ループ）に取り付けられる。接続ハンドル４０における２つの調整式のバックル４８は、その際、前壁１２における第１の一対の接続レールの２つの対応する輪（ループ）に取り付けられる。
【００３２】
図４は、アクセサリーバッグの頂部半分の斜視図である。第１の一対の接続レール５６は、アクセサリーバッグの長さに沿って延びる複数に連なる輪（ループ）を生成するべく、前パネル５２に選択的に取り付けられたストリップ材料として、明らかに示されている。加えて、アクセサリーバッグの後壁１４における第２の一対の接続レール６６は、部分的に見えている。前壁５２と後壁１４との間に延びる側壁１６は、頂部２２に向けて細くなっている。２つの側壁１６があり、これらは、後壁１４に一体的に形成されていることが、特筆される。２つの側壁１６は、前パネル５２におけるジッパー５４と協働するジッパーを含んでいる。側壁は細くなっていなくてもよく、明確な頂縁を有し得るが、頂部２２に向けたバックの先細りは、頂部２２から底部２０に向けたバッグの巻きを容易にする。
【００３３】
図５は、頂部２２が部分的に底壁２０に向けて巻かれ、前パネル５４が部分的に開いた状態のアクセサリーバッグを示している。明確化の目的のためにステップは示されていない。アクセサリーバッグの底壁２０に接続されたフラップ５９が示されている。このフラップ５９は、ジッパー５４が閉められるときに、前パネル５２の閉鎖状態を維持することを助けるべく、前パネル５２の外表面における相手側コネクターと協働するように、その前面にフック及びループ状ファスナーのようなコネクターを有する。当該フラップはまた、前パネル５２に取り付けられて前パネル５２から延び得て、フック及びループ状ファスナーのような相手側コネクターを有する底壁に接続し得る。第１の接続レール５６は、この点において、明らかに示されている。加えて、アクセサリーバッグの巻きが、アクセサリーバッグの後壁１４の第２の一対の接続レール６６をどのように見せるかが示されている。巻かれた時、後壁１４における第２の一対の接続レール６６は、前壁１２における第１の一対の接続レール５６に整列する。
【００３４】
また、この点において、側壁１６の底部側半分の側壁１６における複数のポケット７０が示されている。当該ポケットは、アクセサリーバッグに更なる強度及び剛性を付与するためにリブ８を有しているが、側壁１６の頂部側半分には設けられないことにより、アクセサリーバッグの巻きを阻害しない。図５には、１つだけリブ８が示されているが、後壁１４もまた、同様に、アクセサリーバッグの少なくとも底部側半分に沿って間隔を空けて配置される複数のリブ８を含み得る。後壁１４におけるリブ８は、アクセサリーバッグに追加の剛性を付与する。後壁１４のリブ８は、そのような追加のリブの付加が頂部２２からのアクセサリーバッグの巻きつけを阻害しないので、アクセサリーバッグの長さの大部分に沿って設けられ得ることが、特筆される。リブ８は、プラスチックのような好適な材料から形成され得る。リブ８は取り外され得るか、または、ポケットは永続的にリブを保持するために閉じて縫われ得る。アクセサリーバッグ内に道具が配置され、アクセサリーバッグが当該道具のサイズのための適切な長さを有するように巻かれる時、当該道具はアクセサリーバッグの中で動くことができない。道具とリブ８とは、アクセサリーバッグに構造的統合を付与するべく協働し、アクセサリーバッグが撓み変形可能な材料から形成されていても、アクセサリーバッグはホイール２４上で転がり移動され得る。
【００３５】
図６は図５に似ているが、閉鎖状態の前パネル５２、及び、部分的に巻かれた状態でバッグを維持するために接続レール５６,６６の両方に取り付けられた接続ハンドル４０、を示している。より詳細に後述される接続ハンドル４０は、第１の一対の接続レール５６における輪（ループ）に係合する、一対の調整式のＧ形状バックル４８を有している。当該バックルは、第２の一対の接続レール６６における輪（ループ）に係合する、反対側の端部における好ましくは無調整式の、同様のバックル４８とともに、ストラップ４２,４４に接続されている。ハンドル４６が、ユーザーによる把持のための利便的な場所を提供するために、及び、接続ハンドルを一部材に形成するために、２つのストラップ４２,４４の間に延びている。バックル４８は、アクセサリーバッグが巻かれた程度に応じて都合の良いいずれかの輪（ループ）に、取り付けられ得る。加えて、調整式のバックル４８は、アクセサリーバッグの頂部２２の巻かれた部分が密であることを保証するように調整され得て、バッグの中の道具は、バッグと共に硬い構造物を形成する。
【００３６】
図７は、全体的に巻かれた状態におけるアクセサリーバッグを示している。バッグを完全に巻くために、前パネル５２は開かれ得て、側壁１６が後壁１４に向けてつぶれることを可能としている。これは、巻きを容易にするために、実質的に平坦な形態を生成する。完全に巻かれた状態においては、後壁１４は、ロールの外壁を形成する。従って、一対の第２接続レール６６のみアクセスが可能である。図３の参照によってより先に議論されたように、接続ハンドル４０は、バッグの底壁２０に設けられた輪（ループ）２８に接続されながら、調整式のバックルによって、第２の一対の接続レール６６における輪（ループ）に接続される。この形態において、接続ハンドル４０は、アクセサリーバッグの巻かれた状態を維持し、アクセサリーバッグの簡易な運搬のためのハンドル４６を提供する。
【００３７】
図８は、一対のストラップ４２,４４を有する接続ハンドル４０を示している。接続ハンドル４０は、ストラップ４２,４４に固定されたコネクターが設けられた第１の端部と、ストラップに調整可能に取り付けられたコネクターを有する第２の端部と、を有している。コネクターとして用いられるＧ形状バックル４８が、ストラップ４２,４４のそれぞれの端部に設けられている。Ｇ形状バックルが示されているが、接続レールとの係合のための任意の好適なコネクターが用いられ得る。ハンドル４６は、ユーザーにとっての利便性のある把持点を提供するため、及び、一部材を形成するべくストラップ４２,４４を一緒に接続するために、２つのストラップ４２,４４の間を延びている。加えて、ショルダーストラップ（図示せず）が、ユーザーの追加される利便性のために接続ハンドル４０に取り付けられ得る。
【００３８】
好ましい実施の形態を参照することによって本発明が説明されたが、変形及び変更は、当該技術分野の通常の技術を有する者にとって明らかである。本発明は、そのような変形及び変更を包合する。
【図１】
2014524323.tif 000003
【図２】
2014524323.tif 000004
【図３】
2014524323.tif 000005
【図４】
2014524323.tif 000006
【図５】
2014524323.tif 000007
【図６】
2014524323.tif 000008
【図７】
2014524323.tif 000009
【図８】
2014524323.tif 000010
【国際調査報告】
2014524323.tif 000011
2014524323.tif 000012
2014524323.tif 000013